【手続補正書】
【提出日】令和1年12月20日(2019.12.20)
【手続補正１】
【補正対象書類名】特許請求の範囲
【補正対象項目名】全文
【補正方法】変更
【補正の内容】
【特許請求の範囲】
【請求項１】
少なくとも第１の電力状態と前記第１の電力状態より消費電力の少ない第２の電力状態を取りえる情報処理装置であって、
前記情報処理装置の電力状態を前記第１の電力状態から前記第２の電力状態へ移行させる移行処理を行う制御手段と、
前記第２の電力状態中に発生した所定のイベントに基づいて、前記所定のイベントに対応するモジュールに電力が供給されるよう制御する電源制御手段と、を備え、
前記移行処理の途中で前記所定のイベントが発生した場合、前記制御手段は、前記所定のイベントを示す情報を記憶部に記憶し、前記移行処理を続行し、
前記電源制御手段は、前記第２の電力状態に移行した後、前記記憶部に記憶された前記情報に基づいて前記所定のイベントに対応するモジュールに電力が供給されるよう制御する、ことを特徴とする情報処理装置。
【請求項２】
前記記憶部をさらに備える、ことを特徴とする請求項１に記載の情報処理装置。
【請求項３】
前記制御手段は、プロセッサを有し、
前記プロセッサが前記記憶部に前記情報を記憶する、ことを特徴とする請求項１又は２に記載の情報処理装置。
【請求項４】
前記制御手段は、前記移行処理の途中で前記所定のイベントが発生した場合、前記第２の電力状態からの復帰を予約し、
前記電源制御手段は、前記予約があれば、前記情報処理装置の電力状態を前記第２の電力状態から復帰させる、ことを特徴とする請求項１乃至３の何れか１項に記載の情報処理装置。
【請求項５】
前記制御手段は、前記電源制御手段の記憶部に前記予約を示す情報を記憶する、ことを特徴とする請求項４に記載の情報処理装置。
【請求項６】
外部装置とネットワークを介して通信する通信手段をさらに備え、
前記移行処理の途中で前記通信手段を介して所定のイベントが発生した場合、前記所定のイベントを示す情報を前記記憶部に記憶すると共に、前記第２の電力状態からの復帰を予約し、
前記電源制御手段は、前記予約があれば、前記情報処理装置の電力状態を前記第２の電力状態から復帰させ、前記記憶部に記憶された前記情報に基づいて、前記所定のイベントに対応するモジュールに電力が供給されるよう制御する、ことを特徴とする請求項１乃至５の何れか１項に記載の情報処理装置。
【請求項７】
前記電源制御手段は、前記第２の電力状態に移行してから所定時間の経過後に前記予約の有無を確認し、前記予約があれば前記情報処理装置を前記第２の電力状態から復帰させる、ことを特徴とする請求項４に記載の情報処理装置。
【請求項８】
前記電源制御手段は、前記情報処理装置を前記第２の電力状態に移行した後、前記記憶部に記憶された前記情報に基づいて、前記所定のイベントに対応するモジュールに電力が供給されるよう制御する、ことを特徴とする請求項１乃至７の何れか１項に記載の情報処理装置。
【請求項９】
前記所定のイベントは、外部装置からの印刷指示、外部装置からのネットワークを介したアクセス、ＦＡＸデータの受信、タイマからの起床指示、外部装置からのＵＳＢを介したアクセス、ユーザによるキー操作、人感センサによる人の検知、原稿検知センサによる原稿の検知、原稿を押さえるプレートの開閉の検知のいずれかである、ことを特徴とする請求項１乃至８の何れか１項に記載の情報処理装置。
【請求項１０】
前記制御手段は、前記移行処理の途中であって所定の処理が完了する前に前記所定のイベントが発生した場合、前記移行処理を中断し、前記移行処理の途中であって前記所定の処理が完了した後に前記所定のイベントが発生した場合、前記所定のイベントを示す情報を記憶部に記憶し、前記移行処理を続行する、ことを特徴とする請求項１乃至９の何れか１項に記載の情報処理装置。
【請求項１１】
用紙に画像を印刷する印刷手段をさらに備える、ことを特徴とする請求項１乃至１０の何れか１項に記載の情報処理装置。
【請求項１２】
原稿の画像を読み取る読取手段をさらに備える、ことを特徴とする請求項１乃至１１の何れか１項に記載の情報処理装置。
【請求項１３】
少なくとも第１の電力状態と前記第１の電力状態より消費電力の少ない第２の電力状態を取りえる情報処理装置の制御方法であって、
前記情報処理装置の電力状態を前記第１の電力状態から前記第２の電力状態へ移行させる移行処理を実行すること、
前記第２の電力状態中に発生した所定のイベントに基づいて、前記所定のイベントに対応するモジュールに電力を供給すること、
前記移行処理の途中で前記所定のイベントが発生した場合、前記所定のイベントを示す情報を記憶部に記憶し、前記移行処理を続行すること、
前記第２の電力状態に移行した後、前記記憶部に記憶された前記情報に基づいて前記所定のイベントに対応するモジュールに電力を供給すること、を有する情報処理装置の制御方法。
【請求項１４】
前記移行処理の途中で前記所定のイベントが発生した場合、前記第２の電力状態からの復帰を予約すること、
前記予約に従って、前記情報処理装置の電力状態を前記第２の電力状態から復帰すること、をさらに有することを特徴とする請求項１３に記載の情報処理装置の制御方法。
【請求項１５】
プロセッサが前記記憶部に前記情報を記憶する、ことを特徴とする請求項１４に記載の情報処理装置の制御方法。
【請求項１６】
前記所定のイベントは、外部装置とネットワークを介して通信する通信手段を介して発生したイベントである、ことを特徴とする請求項１４又は１５に記載の情報処理装置の制御方法。
【請求項１７】
前記情報処理装置の電力状態を前記第２の電力状態から復帰することは、前記第２の電力状態に移行してから所定時間の経過後に実行される、ことを特徴とする請求項１４に記載の情報処理装置の制御方法。
【請求項１８】
前記所定のイベントは、外部装置からの印刷指示、外部装置からのネットワークを介したアクセス、ＦＡＸデータの受信、タイマからの起床指示、外部装置からのＵＳＢを介したアクセス、ユーザによるキー操作、人感センサによる人の検知、原稿検知センサによる原稿の検知、原稿を押さえるプレートの開閉の検知のいずれかである、ことを特徴とする請求項１３乃至１７の何れか１項に記載の情報処理装置の制御方法。
【請求項１９】
前記移行処理の途中であって所定の処理が完了する前に前記所定のイベントが発生した場合、前記移行処理を中断すること、をさらに有し、
前記移行処理を続行することは、前記移行処理の途中であって前記所定の処理が完了した後に前記所定のイベントが発生した場合に実行される、ことを特徴とする請求項１３乃至１８の何れか１項に記載の情報処理装置の制御方法。
【手続補正２】
【補正対象書類名】明細書
【補正対象項目名】０００８
【補正方法】変更
【補正の内容】
【０００８】
本発明は、少なくとも第１の電力状態と前記第１の電力状態より消費電力の少ない第２の電力状態を取りえる情報処理装置であって、前記情報処理装置の電力状態を前記第１の電力状態から前記第２の電力状態へ移行させる移行処理を行う制御手段と、前記第２の電力状態中に発生した所定のイベントに基づいて、前記所定のイベントに対応するモジュールに電力が供給されるよう制御する電源制御手段と、を備え、前記移行処理の途中で前記所定のイベントが発生した場合、前記制御手段は、前記所定のイベントを示す情報を記憶部に記憶し、前記移行処理を続行し、前記電源制御手段は、前記第２の電力状態に移行した後、前記記憶部に記憶された前記情報に基づいて前記所定のイベントに対応するモジュールに電力が供給されるよう制御する、ことを特徴とする。
【手続補正３】
【補正対象書類名】明細書
【補正対象項目名】発明の名称
【補正方法】変更
【補正の内容】
【発明の名称】情報処理装置、及び情報処理装置の制御方法